(57)【要約】【課題】壁面に対する取り付けや着け替えが簡単で、着け替えの自由度も高く、また、固定用ねじを付け外しする必要がなく、取り付け姿勢の変動も起こらない、戸当たり具やフックなどの壁付け部材を提供する。【解決手段】壁付け部材１を、壁面Ｗに１本の取り付けねじＭＳで固定する第１部材１０と柱状の第２部材２０とで構成し、第１部材１０と第２部材２０に、バヨネット嵌合構造の継手と、第１部材１０に対する第２部材２０の接続状態を維持する保持具を備えさせ、その継手を利用して第２部材２０を第１部材１０に対して着脱可能となした。【選択図】図１
2020032012.tif 000002
【特許請求の範囲】
【請求項１】
壁面（Ｗ）に１本の取り付けねじ（ＭＳ）で固定する第１部材（１）と柱状の第２部材（２０）とを有し、前記第１部材（１０）と第２部材（２０）に、バヨネット嵌合構造の継手と、第１部材（１０）に対する第２部材（２０）の接続状態を維持する保持具を備えさせ、前記継手を利用して前記第２部材（２０）を第１部材（１０）に対して着脱可能となした壁付け部材。
【請求項２】
前記第１部材（１０）は、壁面に当てるフランジ（１１）と、そのフランジ（１１）の裏面に突出して設けられて壁面（Ｗ）に突き刺される突き針（１２）と、前記フランジ（１１）の前面に突出して設けられた円筒部（１３）と、その円筒部（１３）の外周に位置を変えて設けられたバヨネットピン（１４）及び回り止め用突起（１５）と、前記円筒部（１３）の中心にあけられた前記取り付けねじ（ＭＳ）の頭部の着座部（１６ａ）を備えたねじ挿通孔（１６）とからなり、
前記第２部材（２０）は、その第２部材（２０）に固定されて前記第１部材（１０）の前記円筒部（１３）に外嵌される円筒状の接続ピース（２１）を有し、
前記接続ピース（２１）は、前記バヨネットピン（１４）を係合させる、縦溝（２３ａ）の奥端に横溝（２３ｂ）が連設された形状のバヨネット溝（２３）と、前記回り止め用突起（１５）が嵌り込む係止用凹部（２４）とを有し、
前記接続ピース（２１）が前記第２部材（２０）の後部の穴（２０ａ）に挿入されて第２部材（２０）に相対回転不可に固定され、前記バヨネットピン（１４）が前記バヨネット溝（２３）の縦溝（２３ａ）に進入できる位置で、前記第２部材（２０）を、壁面（Ｗ）に固定された前記第１部材（１０）側に押して前記接続ピース（２１）を前記円筒部（１３）の外周に嵌め、前記第２部材（２０）の後端が第１部材の前記フランジ（１１）に当接した位置で前記第２部材（２０）を所定角度回転させることで前記バヨネットピン（１４）が前記バヨネット溝（２３）の横溝（２３ｂ）に係止し、かつ、前記回り止め用突起（１５）が前記係止用凹部（２４）に嵌り込むように構成された請求項１に記載の壁付け部材。
【請求項３】
前記第２部材（２０）がフックとして構成されており自身に吊り掛けられたハンガー、帽子、衣服などのずり落ちを防止するストッパ（２５）を先端に有する請求項２に記載の壁付け部材。
【請求項４】
前記ストッパ（２５）が円形の鍔である請求項３に記載の壁付け部材。
【請求項５】
前記第２部材（２０）が開き戸用の戸当たり具として構成されており、先端に緩衝用のクッション材（２６）を有する請求項２に記載の壁付け部材。
【請求項６】
前記突き針（１２）が複数本設けられ、その複数本の突き針（１２）が、前記ねじ挿通孔（１６）の周囲に周方向に等間隔で配置された請求項２〜５のいずれかに記載の壁付け部材。
【発明の詳細な説明】
【技術分野】
【０００１】
この発明は、壁面に取り付けて開き戸用の戸当たり具や、物を吊り掛けるフック等として使用する部材に関する。この発明では、それらの部材を壁付け部材と言う。
【背景技術】
【０００２】
開いた戸が壁などに突き当たらないようにするために、従来から戸当たり具が採用されている。また、衣服などを吊り掛けるためのフックも広く利用されている。
【０００３】
上記戸当たり具の従来例として、例えば、下記特許文献１に示されるものがある。同文献に記載された戸当たり具は、開き戸用であり、雌ねじの加工された戸当たり固定部材を床に埋設し、その戸当たり固定部材に、戸の突き当たる部位が弾性部材からなる戸当たり具をねじ込んで取り付けるようにしている。
【０００４】
戸当たり具は、本来の目的で使用するときには戸当たり固定部材に対して前記弾性部材が床面上に起立する状態に取り付けられ、使用しないときには、前記弾性部材が垂下して床下に入り込むように戸当たり固定部材に対して逆さまに取り付けられる。
【０００５】
一般的な戸当たり具は、同文献が従来技術として図５に示しているように、根元端にフランジを設け、そのフランジを固定対象に対してねじ止めするものが多い。
【０００６】
同文献が図５に示している戸当たり具は、床に固定すると述べているが、壁面に固定して使用することもできる。壁面に対するその戸当たり具の固定は、床に対する固定と同様に、根元端のフランジを壁面にねじで固定することになる。
【０００７】
壁面に固定して使用するフックも、特許文献１が図５に示している従来の戸当たり具と同様に、根元端に設けたフランジをねじで固定するものが多くを占めている。
【０００８】
なお、簡易なフックについては、フックの先端を前と考えたときに後ろ向きに延び出すタッピングねじを根元側に一体に設け、そのタッピングねじを壁にねじ込むタイプのものも存在する。
【先行技術文献】
【特許文献】
【０００９】
【特許文献１】特開平３−１６１６８１号公報
【発明の概要】
【発明が解決しようとする課題】
【００１０】
根元端にフランジを設け、そのフランジを壁面などにねじで固定するタイプの壁付け部材（戸当たり具やフックなど）は、ねじを複数本用いる必要があるため、取り付け作業が面倒になる。
【００１１】
また、その部材が傷むなどして交換が必要になったときには全体を取り外して新しいものを再度取り付ける必要があり、その作業も面倒である。
【００１２】
さらに、使用中の部材を、形状、色、長さ等の異なる他部材に着け替えたいときにも、使用中の部材の全体を取り外して着け替え相手の部材を改めて取り付ける必要があり、着け替えの自由度も高くない。
【００１３】
なお、タッピングねじを一体に設けたフックなどの壁付け部材は、ねじ止めの作業は簡単であるが、交換や着け替えの要求に対しては全体を取り替えて応える必要があり、作業が煩雑になる。これに加え、ねじが緩んで部材の全体が予期せぬ方向に回転することも考えられる。
【００１４】
また、既に孔をあけた箇所に再度タッピングねじをねじ込むと、孔が拡大して部材固定の安定性が低下するため、孔を埋め戻すなどの手間も生じて好ましくない。
【００１５】
この発明は、上記の従来技術に鑑みてなされたものであって、壁面に対する取り付けや着け替えが簡単で、着け替えの自由度も高く、また、固定用ねじを付け外しする必要がなく、取り付け姿勢の変動も起こらない、戸当たり具やフックなどの壁付け部材を提供することを目的としている。
【課題を解決するための手段】
【００１６】
上記の課題を解決するため、この発明においては、壁付け部材を、壁面に１本の取り付けねじで固定する第１部材と柱状の第２部材とで構成し、前記第１部材と第２部材に、バヨネット嵌合構造の継手と、前記第１部材に対する第２部材の接続状態を維持する保持具を備えさせ、前記継手を利用して第２部材を第１部材に対して着脱可能となした。
【００１７】
より具体的には、前記第１部材は、壁面に当てるフランジと、そのフランジの裏面に突出して設けられて壁面に突き刺される突き針と、前記フランジの前面に突出して設けられた円筒部と、その円筒部の外周に位置を変えて設けられたバヨネットピン及び回り止め用突起と、前記円筒部の中心にあけられた前記取り付けねじの頭部の着座部を備えたねじ挿通孔とからなり、
前記第２部材は、その第２部材に固定されて前記第１部材の前記円筒部に外嵌される円筒状の接続ピースを有し、
前記接続ピースは、前記バヨネットピンを係合させる、縦溝の奥端に横溝が連設された形状のバヨネット溝と、前記回り止め用突起が嵌り込む係止用凹部とを有し、
前記接続ピースが前記第２部材の後部の穴に挿入されて第２部材に相対回転不可に固定され、前記バヨネットピンが前記バヨネット溝の縦溝に進入できる位置で前記第２部材を、壁面に固定された前記第１部材側に押して前記接続ピースを前記第１部材の前記円筒部の外周に嵌め、前記第２部材の後端が前記第１部材の前記フランジに当接した位置で前記第２部材を所定角度回転させることで前記バヨネットピンが前記バヨネット溝の横溝に係止し、かつ、前記回り止め用突起が前記係止用凹部に嵌り込むように構成された壁付け部材にした。
【００１８】
この壁付け部材は、前記第２部材がフックとして構成されて先端に吊り掛けられたハンガー、帽子、衣服などのずり落ちを防止するストッパを有するものが考えられる。
【００１９】
また、前記第２部材が開き戸用の戸当たり具として構成されていて、先端に緩衝用のクッション材を有するものも考えられる。
【００２０】
前記突き針は、前記ねじ挿通孔の周囲に複数本を周方向に等間隔で配置すると好ましい。また、前記ストッパは、一方向に屈曲した鉤部も考えられるが、それよも円形の鍔が好ましい。
【発明の効果】
【００２１】
この発明の壁付け部材は、第１部材を取り付けねじで予め壁面に固定し、その第１部材に対して第２部材を取り付ける。第１部材の壁面に対する取り付けは、使用するねじが１本であるので簡単である。
【００２２】
第１部材に対する第２部材の取り付けは、第２部材を前記バヨネット溝の縦溝に前記バヨネットピンが入り込む姿勢にして第１部材側に押し、その操作で、第２部材に設けた接続ピースを第１部材の前面に設けられた円筒部の外周に嵌める。
【００２３】
そして、第２部材の後端が第１部材のフランジに当接した位置で第２部材を所定角度（例えば９０°）回転させてバヨネットピンをバヨネット溝の横溝に係止させる。
【００２４】
このとき、前記回り止め用突起が前記係止用凹部に嵌り込み、第２部材の振動等による逆転が防止されて第１部材に対する第２部材の接続状態と第１部材による第２部材の支持状態が維持される。
【００２５】
このように、この発明の壁付け部材は、第２部材を押し込んで所定角度回転させるだけで第１部材に簡単に接続することができる。
【００２６】
また、一定値を越える力を加えて第２部材を接続時とは反対向きに回転させると前記回り止め用突起が前記係止用凹部から抜け出し、バヨネットピンがバヨネット溝の縦溝の位置に移動する。そのため、第２部材を軸方向に引いて第１部材から取り外すことができ、取り外しも簡単である。
【００２７】
予め、壁面に固定した第１部材は、外す必要がない。第２部材に設ける前記接続ピースを共通の部材にして形状、色、長さ等の異なる他部材にも設けておけば、既設の第１部材に形状、色、長さ等の異なる他部材を取り付けることができ、第２部材の着け替えの自由度も高い。
【００２８】
このほか、第１部材は、壁面に突き刺さる突き針を有しているので、取り付け後に回転することがない。そのために、第２部材の第１部材に接続した後の姿勢変動も起こらない。
【図面の簡単な説明】
【００２９】
【図１】この発明の壁付け部材の第１形態を、第１部材から第２部材を外した状態にして示す部分破断側面図である。
【図２】（ａ）は、図１の壁付け部材の第１部材の外観を示す斜視図、（ｂ）は、図１の第１部材の正面図、（ｃ）は、図１の第１部材の背面図、（ｄ）は図１の第１部材の平面図、（ｅ）は、図１の第１部材の拡大断面図である。
【図３】（ａ）は、図１の壁付け部材の第２部材に設けた接続ピースの斜視図、（ｂ）は、同上の接続ピースの正面図、（ｃ）は、同上の接続ピースの平面図である。
【図４】図１の壁付け部材の第２部材を、接続ピースを外した状態にして示す断面図である。
【図５】この発明の壁付け部材の第２形態を示す部分破断側面図である。
【図６】図５の第２部材を備えた開き戸用戸当たり具の使用例を簡略化して示す斜視図である。
【発明を実施するための形態】
【００３０】
この発明の壁付け部材の実施の形態を、添付図面の図１〜図５に基づいて説明する。
【００３１】
図１〜図４は、この発明の壁付け部材１の第１形態を示している。この第１形態の壁付け部材１は、建物の玄関などの壁面に固定して簡易物掛けとして利用する壁付けフックである。この第１形態の壁付け部材１は、第１部材１０と、第２部材２０とからなる。
【００３２】
第１部材１０は、取り付けねじ（タッピングねじや木ねじ）ＭＳで壁面Ｗ（図１参照）に固定する部材であって、壁面Ｗに当てるフランジ１１（図２を同時参照）と、そのフランジ１１の裏面に突出して設けられた突き針１２と、フランジ１１の前面に突出して設けられた円筒部１３と、その円筒部１３の外周に設けられたバヨネットピン１４及び回り止め用突起１５と、円筒部１３の中心にあけられたねじ挿通孔１６を備えている。
【００３３】
突き針１２は、壁面Ｗに突き刺される針であって、図示の第１部材１０には、中心対称位置にその突き針１２が２本設けられている。
【００３４】
バヨネットピン１４と回り止め用突起１５は、それぞれ２個が中心対称位置に設けられている。このバヨネットピン１４と回り止め用突起１５は、円筒部１３の外周の、互いの位置から周方向に９０°移動した位置にある。
【００３５】
ねじ挿通孔１６は、取り付けねじＭＳの頭部を着座させる着座部１６ａを備えた孔になっている。
【００３６】
第２部材２０は、第１部材１０に支持される柱状の部材であり、図の壁付け部材１の場合、その第２部材２０にハンガーや帽子、衣服などが吊り下げられる。
【００３７】
この第２部材２０は、後部に第１部材１０の円筒部１３に外嵌される円筒状の接続ピース２１（図３を同時参照）を有している。その接続ピース２１は、第２部材２０の後部に開口した穴２０ａに挿入され、端壁２１ａの中心の孔２１ｂに通されたねじ２２によって第２部材２０に固定されている。
【００３８】
接続ピース２１の厚みｔ｛図３（ｂ）参照｝は、バヨネットピン１４の突出長さよりも大きい。この接続ピース２１は、第１部材１０に設けたバヨネットピン１４を係合させるバヨネット溝２３と、回り止め用突起１５が嵌り込む係止用凹部２４を有している。
【００３９】
前記円筒部１３とその円筒部１３に設けたバヨネットピン１４及び前記接続ピース２１とその接続ピース２１に設けたバヨネット溝２３がバヨネット嵌合構造の継手を構成しており、さらに、回り止め用突起１５と係止用凹部２４が第１部材１０と第２部材２０の接続状態を維持する保持具を構成している。
【００４０】
また、端壁２１ａの中心の孔２１ｂの周囲に複数の小穴２１ｃを有しており、小穴２１ｃに、第２部材２０の後部に設けられた穴２０ａの奥端に形成された小突起２０ｂ（図１と図４参照）が嵌まり込んで第２部材２０に対する接続ピース２１の相対回転が阻止されている。
【００４１】
バヨネット溝２３は、接続ピース２１の先端に開放した縦溝２３ａと、縦溝２３ａの奥端に連設された横溝２３ｂとを備えた溝である。
【００４２】
係止用凹部２４は、バヨネット溝２３に入り込ませたバヨネットピン１４がバヨネット溝２３の横溝２３ｂの終端に移動した位置で回り止め用突起１５が嵌り込む位置にある。
【００４３】
この係止用凹部２４と回り止め用突起１５は、第１部材１０と第２部材２０を適度の力を加えて相対回転させることで少なくとも片方が弾性変形し、これにより、互いに嵌り合ったり、その嵌り合いが解けたりする。
【００４４】
図１及び図４の２５は、第２部材２０の先端に設けた、ハンガー、帽子、衣服などの吊り掛物のずり落ちを防止するストッパである。図示のストッパ２５は、方向性の無い円形の鍔であるが、第１部材１０の壁面Ｗに対する取り付け方向を規定すれば、一方向（好ましくは、第２部材２０を第１部材１０に取り付けたときに上向きとなる向き）に屈曲した鉤部も利用できる。
【００４５】
このように構成した第１形態の壁付け部材１は、バヨネットピン１４がバヨネット溝２３の縦溝２３ａに進入できる位置で第２部材２０を、壁面Ｗに予め固定された第１部材１０側に押して接続ピース２１を第１部材１０の円筒部１３の外周に嵌める。
【００４６】
そして、第２部材２０の後端が第１部材１０のフランジ１１に当接した位置で第２部材２０を所定角度（図の壁付け部材は９０°）回転させる。
【００４７】
これにより、バヨネットピン１４がバヨネット溝２３の横溝２３ｂに係止して第２部材２０の抜けが防止される。
【００４８】
また同時に、回り止め用突起１５が係止用凹部２４に嵌り込み、これにより、振動等による第２部材２０の逆転が防止される。
【００４９】
図５は、この発明の壁付け部材の第２形態を示している。この第２形態の壁付け部材１Ａの第２部材２０は、開き戸用の戸当たり具である。
【００５０】
図５の第２部材２０は、先端に緩衝用のクッション材２６を取り付けたものになっている。第２部材２０の後部には、既述のものと同じ接続ピース２１が設けられている。
【００５１】
その接続ピース２１の構造や組み付け方などは、第１形態の壁付け部材１と同じである。よって、第１形態と同一要素に同一符号を付して再説明を省く。
【００５２】
図５の第２部材２０は、第１部材１０と組み合わせて使用される。第１部材１０は既述の第１部材であるので、第１形態と同一要素に同一符号を付して説明を省く。
【００５３】
その第１部材１０が第１形態の第１部材１０と共通の部材（同一形状、同一サイズの部材）であれば、既に壁面に固定されている第１形態の第１部材１０に、第１形態の第２部材２０に代えて図５の第２部材２０を取り付けることができる。
【００５４】
図６に、図５の壁付け部材１Ａを備えた開き戸用戸当たり具の使用の一例を簡略化して示す。図のＨｄは開き戸である。この開き戸Ｈｄが最大に開かれたときに壁面Ｗに取り付けられている図５の壁付け部材（戸当たり具）１Ａのクッション材２６に開き戸Ｈｄが当たる。
【００５５】
そのため、開き戸Ｈｄのノブｋなどが壁面Ｗに当たることがなく、ノブｋなどの衝突による壁面の傷みが生じない。
【符号の説明】
【００５６】
１、１Ａ    壁付け部材
１０        第１部材
１１        フランジ
１２        突き針
１３        円筒部
１４        バヨネットピン
１５        回り止め用突起
１６        ねじ挿通孔
１６ａ      着座部
２０        第２部材
２０ａ      穴
２０ｂ      小突起
２１        接続ピース
２１ａ      端壁
２１ｂ      中心の孔
２１ｃ      小穴
２２        ねじ
２３        バヨネット溝
２３ａ      縦溝
２３ｂ      横溝
２４        係止用凹部
２５        ストッパ
２６        クッション材
ＭＳ        取り付けねじ
Ｗ          壁面
Ｈｄ        開き戸
ｋ          ノブ
【図１】
2020032012.tif 000003
【図２】
2020032012.tif 000004
【図３】
2020032012.tif 000005
【図４】
2020032012.tif 000006
【図５】
2020032012.tif 000007
【図６】
2020032012.tif 000008